(57)【要約】【課題】簡素な構成でありながら、素子を精度良く且つ容易に位置決めできる光ピックアップ装置及び光ピックアップ装置の組立方法を提供する。【解決手段】カバー２１の突起２１ａ、２１ａを、ホルダ２０の付勢される方向に配置している。これにより、２レーザ１パッケージ１５はホルダ２０と一体で、図８に矢印で示す方向に付勢されたとき、凹部２０ｃ、２０ｃが突起部２１ａ、２１ａに係合し、ホルダ２０を保持することができる。【選択図】図８
2009151869.tif 000002
【特許請求の範囲】
【請求項１】
ハウジングと、
前記ハウジングから突出した係止部と、
前記ハウジングに対してフレキシブル基板で連結された素子と、を有し、
前記素子は、前記ハウジングに対して接合される前には、前記フレキシブル基板により付勢された状態で前記係止部に係止されることを特徴とする光ピックアップ装置。
【請求項２】
ハウジングと、
前記ハウジングから突出した係止部と、
前記ハウジングに対して、弾性変形したフレキシブル基板で連結された素子と、を有し、
前記素子又は該素子を保持するホルダは、前記フレキシブル基板の弾性変形力により付勢される方向に投影したときに、少なくとも一部が前記係止部と重なり合うようになっていることを特徴とする光ピックアップ装置。
【請求項３】
前記係止部は、前記ハウジングに一体的に形成されていることを特徴とする請求項１又は２に記載の光ピックアップ装置。
【請求項４】
前記係止部は、前記ハウジングに取り付けられたカバーに形成されていることを特徴とする請求項１又は２に記載の光ピックアップ装置。
【請求項５】
前記素子はホルダに固定されており、前記ホルダを介して前記係止部に固定されることを特徴とする請求項１〜４のいずれかに記載の光ピックアップ装置。
【請求項６】
前記ホルダは、前記係止部に係合する凹部を有することを特徴とする請求項５に記載の光ピックアップ装置。
【請求項７】
前記ホルダは、ピン状の治具が係合できる断面Ｖ字状の溝を有することを特徴とする請求項１〜６のいずれかに記載の光ピックアップ装置。
【請求項８】
ハウジング側より延在するフレキシブル基板の付勢力を利用して、素子を前記ハウジングより突出した係止部に係止する工程と、
前記素子を治具で把持する工程と、
前記素子を前記係止部より離脱させる工程と、
前記治具により把持した状態で前記素子の位置決めを行う工程と、
前記素子を前記ハウジングに接着する工程と、を有することを特徴とする光ピックアップ装置の組立方法。
【請求項９】
前記係止部を切断する工程を有することを特徴とする請求項８に記載の光ピックアップ装置の組立方法。
【発明の詳細な説明】
【技術分野】
【０００１】
本発明は、光ピックアップ装置及び光ピックアップ装置の組立方法に関し、特に、光ディスクに対して情報の記録及び／又は再生を行うことができる光ピックアップ装置及び光ピックアップ装置の組立方法に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの高密度光ディスクに情報の記録及び／又は再生を行える光ピックアップ装置の開発も急速に進んでいる。
【０００３】
ここで、光ピックアップ装置において例えば半導体レーザは、対物レンズを含む光学系に対して精度良く位置決めされる必要があるが、かかる位置決めは、実際にレーザ光を照射して所定位置にレーザ光が集光するように、Ｘ軸、Ｙ軸、Ｚ軸、及びＺ軸回り、Ｘ軸回り、Ｙ軸回りに調整される。しかるに、半導体レーザは、一般的にフレキシブル基板を介してハウジング側から電力の供給を受けており、よって位置決め時には、フレキシブル基板が接続された状態にある。
【０００４】
ところが、フレキシブル基板は、それ自体が弾性力を有するため、かかる弾性力により半導体レーザを望まぬ方向に付勢し、位置決めを妨げる恐れがある。特に、光ピックアップ装置のコンパクト化が推進されている昨今では、半導体レーザのホルダ自体も小さくなる傾向があり、フレキシブル基板で吊られた不安定な状態では、光ピックアップ装置の組み付け毎に、ホルダを作業者がピンセット等を用いて微調整を行いながら位置調整用治具に取り付ける必要があり、無駄な時間がかかり、製造コストを増大させるという問題がある。
【０００５】
これに対し、特許文献１は、受光素子ホルダから突き出た突起を、素子ホルダ把持具で把持することで、位置決めを行うことを開示している。一方、特許文献２は、位置決め部材で受光素子が付いているホルダをハウジングに押し付けて位置決めすることを開示している。
【特許文献１】特開２００７−１７９６８５号公報
【特許文献２】特開平１０−５５５５９号公報
【発明の開示】
【発明が解決しようとする課題】
【０００６】
しかしながら、特許文献１の従来技術によれば、受光素子がフレキシブル基板に連結された状態で仮固定されておらず、不安定な状態にあるため、受光素子ホルダから突き出た突起を、素子ホルダ把持具で確実に把持することが困難である。
【０００７】
更に、特許文献２の従来技術によれば、位置決め治具で受光素子を固定する前は、受光素子がフレキシブル基板に連結された状態で固定されている。しかしながら、位置決め部材はバネ力で受光素子をハウジングに対して押し付けているため、取り付け面方向（ＸＹ面方向）においては、調整の自由度を確保するために位置決め部材を付加することができない。よって、素子の位置は取り付け面方向に大きくばらつく恐れがあるため、微調整用のピンを容易に係合させにくいという問題がある。
【０００８】
本発明は、かかる問題点に鑑みて成されたものであり、簡素な構成でありながら、素子を精度良く且つ容易に位置決めできる光ピックアップ装置及び光ピックアップ装置の組立方法を提供することを目的とする。
【課題を解決するための手段】
【０００９】
請求項１に記載の光ピックアップ装置は、
ハウジングと、
前記ハウジングから突出した係止部と、
前記ハウジングに対してフレキシブル基板で連結された素子と、を有し、
前記素子は、前記ハウジングに対して接合される前には、前記フレキシブル基板により付勢された状態で前記係止部に係止されることを特徴とする。
【００１０】
本発明によれば、前記素子は、前記ハウジングに対して接合される前には、前記フレキシブル基板により付勢された状態で前記係止部に係止されるので、前記素子を安定した状態に維持し、取り扱い性を向上させることができると共に、位置決め時の把持を容易に行うことができる。一方、係止時における前記素子には、前記フレキシブル基板の弾性力のみが付与されているので、比較的小さな力で前記係止部から離脱させることが出来、位置決めに影響を与えることが抑制され、また位置決め後に経時変化で位置ズレが生じる恐れもない。
【００１１】
請求項２に記載の光ピックアップ装置は、
ハウジングと、
前記ハウジングから突出した係止部と、
前記ハウジングに対して、弾性変形したフレキシブル基板で連結された素子と、を有し、
前記素子又は該素子を保持するホルダは、前記フレキシブル基板の弾性変形力により付勢される方向に投影したときに、少なくとも一部が前記係止部と重なり合うようになっていることを特徴とする。
【００１２】
本発明によれば、前記素子又は該素子を保持するホルダは、前記フレキシブル基板の弾性変形力により付勢される方向に投影したときに、少なくとも一部が前記係止部と重なり合うようになっているので、前記ハウジングに対して接合される前には、前記フレキシブル基板により付勢された状態で前記係止部に係止されることになるので、前記素子を安定した状態に維持し、取り扱い性を向上させることができると共に、位置決め時の把持を容易に行うことができる。一方、係止時における前記素子には、前記フレキシブル基板の弾性力のみが付与されているので、比較的小さな力で前記係止部から離脱させることが出来、位置決めに影響を与えることが抑制され、また位置決め後に経時変化で位置ズレが生じる恐れもない。
【００１３】
請求項３に記載の光ピックアップ装置は、請求項１又は２に記載の発明において、前記係止部は、前記ハウジングに一体的に形成されていることを特徴とするので、コストを低減できる。
【００１４】
請求項４に記載の光ピックアップ装置は、請求項１又は２に記載の発明において、前記係止部は、前記ハウジングに取り付けられたカバーに形成されていることを特徴とする。例えば、前記係止部をゴミ除け用の板金カバー等と一体的に形成すれば、別個に設ける必要がなく、コストを低減できる。
【００１５】
請求項５に記載の光ピックアップ装置は、請求項１〜４のいずれかに記載の発明において、前記素子はホルダに固定されており、前記ホルダを介して前記係止部に固定されることを特徴とするので、前記ホルダを治具により把持しやすい任意形状とできる。
【００１６】
請求項６に記載の光ピックアップ装置は、請求項５に記載の発明において、前記ホルダは、前記係止部に係合する凹部を有することを特徴とすると、前記凹部内でのみ前記係止部が変位するようにできるので、係止時における前記ホルダの変位量を抑制でき、治具により把持しやすい構成にできる。
【００１７】
請求項７に記載の光ピックアップ装置は、請求項１〜６のいずれかに記載の発明において、前記ホルダは、ピン状の治具が係合できる断面Ｖ字状の溝を有することを特徴とするので、例えば一対のピン状の治具を一方向に変位させるのみで、前記溝の底部に係合させることが可能となる。
【００１８】
尚、前記素子は、前記光ピックアップ装置の半導体レーザ素子であると好ましいが、受光素子であっても良い。
【００１９】
請求項８に記載の光ピックアップ装置の組付方法は、
ハウジング側より延在するフレキシブル基板の付勢力を利用して、素子を前記ハウジングより突出した係止部に係止する工程と、
前記素子を治具で把持する工程と、
前記素子を前記係止部より離脱させる工程と、
前記治具により把持した状態で前記素子の位置決めを行う工程と、
前記素子を前記ハウジングに接着する工程と、を有することを特徴とする。
【００２０】
本発明によれば、前記素子は、前記フレキシブル基板の付勢力を利用して前記係止部に係止されるので、前記素子を安定した状態に維持し、取り扱い性を向上させることができると共に、前記素子を把持する際の目標範囲が狭まり、前記治具で把持することが容易になる。一方、係止時における前記素子には、前記フレキシブル基板の弾性力のみが付与されているので、比較的小さな力で前記係止部から離脱させることが出来、位置決めに影響を与えることが抑制され、また位置決め後に経時変化で位置ズレが生じる恐れもない。
【００２１】
請求項９に記載の光ピックアップ装置の組付方法は、前記係止部を切断する工程を有することを特徴とするので、不要になった前記係止部が周囲部品と干渉することを抑制できる。
【発明の効果】
【００２２】
本発明によれば、簡素な構成でありながら、素子を精度良く且つ容易に位置決めできる光ピックアップ装置及び光ピックアップ装置の組立方法を提供することができる。
【発明を実施するための最良の形態】
【００２３】
以下、図面を参照して、本発明の実施の形態をさらに詳細に説明する。図１は、本実施の形態にかかる光ピックアップ装置を概略的に示す断面図であるが、組み立て時の状態を示している。図２は、図１の構成をII-II線を含む面で切断して矢印方向に見た断面図である。本実施の形態の光ピックアップ装置は、ＨＤ  ＤＶＤ、ＤＶＤ、ＣＤの３種類の光ディスクに対して情報の再生を行えるようになっているが、トラッキング用の光束を生成する回折格子等を追加することにより、情報の記録も行うことが可能である。更に、少なくともその内の１種類の光ディスクに対して情報の記録／再生を行うことができれば足りる。
【００２４】
図１において、ハウジング１には、後述するようにして第１半導体レーザ５、２レーザ１パッケージ１５が位置決め固定されると共に、コリメートレンズ３，立ち上げミラー４，青紫色用偏光ビームスプリッタ６，パワーモニタ７，偏光ビームスプリッタ１１，サーボレンズ１２，光検出器１３，ＣＤ用回折格子１６が固定されており、更にハウジング１に対して、対物光学素子１０とλ／４波長板９とがアクチュエータ１４により変位可能に支持されている。
【００２５】
次に、本実施の形態にかかる光ピックアップ装置の動作について説明する。図２において、ＨＤ  ＤＶＤから情報の再生を行う場合、光源である第１半導体レーザ５を発光させると、そこから出射された波長４０５ｎｍ前後のレーザ光束は、青紫色用偏光ビームスプリッタ６で反射され、更に図１に示すように立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＨＤ  ＤＶＤの情報記録面に集光される。
【００２６】
ＨＤ  ＤＶＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＨＤ  ＤＶＤから情報の再生を行うことができる。
【００２７】
ここで、光検出器１３上での光スポットの形状変化、強度分布変化を検出して、合焦検出やトラック検出を行う。この検出に基づいて、第１半導体レーザ５からの光束をＨＤ  ＤＶＤの情報記録面上に結像するように、アクチュエータ１４により、対物光学素子１０をボビンと一体で、フォーカシング、トラッキング駆動できるようになっている。
【００２８】
ＤＶＤから情報の再生を行う場合、２レーザ１パッケージ１５内の第２半導体レーザを発光させると、そこから出射された波長６６０ｎｍ前後のレーザ光束は、ＣＤ用回折格子１６を通過し、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＤＶＤの情報記録面に集光される。
【００２９】
ＤＶＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＤＶＤから情報の再生を行うことができる。
【００３０】
ここで、光検出器１３上での光スポットの形状変化、強度分布変化を検出して、合焦検出やトラック検出を行う。この検出に基づいて、第２半導体レーザからの光束をＤＶＤの情報記録面上に結像するように、アクチュエータ１４により、対物光学素子１０をボビンと一体で、フォーカシング、トラッキング駆動できるようになっている。
【００３１】
ＣＤから情報の再生を行う場合、２レーザ１パッケージ１５内の第３半導体レーザを発光させると、そこから出射された波長７８５ｎｍ前後のレーザ光束は、ＣＤ用回折格子１６に入射して、トラッキング信号用の±１次回折光を生成する。かかるレーザ光束は、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物光学素子１０を介して、ＣＤの情報記録面に集光される。
【００３２】
ＣＤの情報記録面から反射した光束は、対物光学素子１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＣＤから情報の再生を行うことができる。
【００３３】
ここで、光検出器１３上での光スポットの形状変化、強度分布変化を検出して、合焦検出やトラック検出を行う。この検出に基づいて、第３半導体レーザからの光束をＣＤの情報記録面上に結像するように、アクチュエータ１４により、対物光学素子１０をボビンと一体で、フォーカシング、トラッキング駆動できるようになっている。
【００３４】
次に、本実施の形態にかかる光ピックアップ装置の組立時における半導体レーザの調整の態様について述べる。図３は、半導体レーザである２レーザ１パッケージ１５を取り付けたホルダ２０の斜視図であり（発光面は裏側）、図４（ａ）は、ホルダ２０の一部の正面図であり、図４（ｂ）は、図４（ａ）の構成をIVB-IVB線で切断して矢印方向に見た図である。図５〜７は、調整時のハウジング１と２レーザ１パッケージ１５とを示す斜視図である。図８は、図５に示すハウジング１と２レーザ１パッケージ１５とを側面から見た図であり、図９は、図７に示すハウジング１と２レーザ１パッケージ１５とを側面から見た図である。尚、以下、２レーザ１パッケージ１５を例に挙げて説明するが、半導体レーザ５についても同様である。
【００３５】
図３に示すように、金属製のホルダ２０は矩形板状であって、２レーザ１パッケージ１５を挿通する中央開口２０ａと、両側縁に形成されたＶ字状溝２０ｂ、２０ｂと、下縁近傍における手前側の面に間隔をあけて形成された矩形状の凹部２０ｃ、２０ｃとを有する。凹部２０ｃ、２０ｃは、後述する突起部２１ａよりも大きなサイズを有し、従って、凹部２０ｃ内に突起部２１ａを係合させたとき、両間には、図４（ａ）で上下方向及び左右方向に隙間Δが存在する。
【００３６】
図８を参照して、ハウジング１の上面には、２レーザ１パッケージ１５の駆動回路を含む基板２２が配置されている。フレキシブル基板２３は、基板２２に一端を接続し、他端を２レーザ１パッケージ１５の端子に接続している。図８に示すように、２レーザ１パッケージ１５は、ハウジング１の正面（図８で左面）に取り付けられるので、フレキシブル基板２３は約９０度緩やかに折り曲げられた状態となる。
【００３７】
図５に示すように、ハウジング１の下面には、塵埃等をシールすることで塵埃等が内部に侵入して光学系に付着することを抑制する薄い板金製のカバー２１が形成されている。カバー２１の正面側には、係止部としての２本の突起部２１ａ、２１ａが平行に突き出して、先端を鈎状に折り曲げている。突起部２１ａ、２１ａのハウジング１からの突出量は、２レーザ１パッケージ１５の位置調整可能範囲を超えていることが望ましい。
【００３８】
２レーザ１パッケージ１５の具体的な組み付け手順を示すと、ホルダ２０の中央開口２０ａに２レーザ１パッケージ１５を圧入等で挿通固定し、基板２２に取り付けたフレキシブル基板２３に形成された小孔を、２レーザ１パッケージ１５の端子に挿入し、ホルダ２０をハウジング１の正面に対向させるようにする。かかる状態では、フレキシブル基板２３は、緩やかに折り曲げられた状態となっているので、その弾性力により元の平面形状に戻ろうとする。これを放置すると、２レーザ１パッケージ１５の位置決めが困難となる。そこで本実施の形態では、カバー２１の突起２１ａ、２１ａを、ホルダ２０の付勢される方向に配置し、これを係止するようにしている（係止部に係止する工程）。曲げられたフレキシブル基板２３の弾性力により、２レーザ１パッケージ１５はホルダ２０と一体で、図８に矢印で示す方向に付勢されたとき、凹部２０ｃ、２０ｃが突起部２１ａ、２１ａに係合し、ホルダ２０を保持することができる。凹部２０ｃ、２０ｃが突起部２１ａ、２１ａより大きいので、ホルダ２０の動きをある程度許容し、係止を容易にすると共に、双方に無理な力が付与されないようにしている。
【００３９】
次に、図６に示すように、２本の角柱２４、２４の先端に取り付けた調整用の治具であるピン２４ａ、２４ａを、ホルダ２０の両側に形成したＶ字状溝２０ｂ、２０ｂに差し入れて、互いに接近させることで、ホルダ２０を把持する（治具で把持する工程）。ホルダ２０は、突起部２１ａ、２１ａにより所定位置に係止されているので、ピン２４ａ、２４ａで狙いを定めて把持することが容易になる。凹部２０ｃ、２０ｃの深さδは浅いので、ホルダ２０を把持した状態で、ハウジング１側に押し出せば、突起部２１ａ、２１ａからホルダ２０が離脱するようになる（係止部より離脱させる工程）。これにより、ホルダ２０と一体で２レーザ１パッケージ１５の位置決めを行うことが可能となる。ピン２４ａ、２４ａを含む２本の角柱２４、２４は、図示していないが、サーボ制御された３次元移動機構により支持されている。かかる３次元移動機構は、ピン２４ａ、２４ａを接近又は離隔させるべく角柱２４，２４を支持する把持用リニアガイドと、把持用リニアガイドと一体でピン２４ａ，２４ａの姿勢を独立して制御可能なＸ軸・Ｙ軸・Ｚ軸方向駆動ステージ及びＸ軸回り・Ｙ軸回り・Ｚ軸回りの回転駆動ステージと、ホルダ２０に対して、ステージと一体でピン２４ａ、２４ａを相対変位させる退避用リニアガイドとを含む。
【００４０】
図１０は、ホルダ２０とピン２４ａ、２４ａとの関係を示す簡略化した図である。ホルダ２０のサイズは小さいので、ホルダ２０が所定位置に係止されているとはいえ、ピン２４ａ、２４ａで適切な位置を狙って把持するのは一般的に難しい。これに対し本実施の形態では、ホルダ２０の両側縁にＶ字状溝２０ｂ、２０ｂを形成しているので、図１０に二点鎖線で示す三角形状の領域Ａ，Ａ内にピン２４ａ、２４ａを大まかに差し入れて、互いに接近させれば、必ずＶ字状溝２０ｂ２０ｂの底部に到達することとなり、その底部間にホルダ２０及び２レーザ１パッケージ１５の重心を配置することで、ピン２４ａ、２４ａにより、ホルダ２０と２レーザ１パッケージ１５を安定して把持できることとなる。尚、突起部２１ａの形状、ホルダ２０の凹部２０ｃの幅，Ｖ字状溝２０ｂのサイズ、ピン２４ａ、２４ａの間隔等を適正に設定することで、安定してピン２４ａ、２４ａの挿入、把持、調整が可能となる。例えば、ホルダ２０の長手方向の位置決めは、ホルダ２０の凹部２０ｃの幅と突起部２１ａの幅とで決まり、ホルダ２０の短手方向の位置決めは、フレキキシブル基板２３の反力と突起部２１ａの形状とで決まる。
【００４１】
更に図６において、実際に２レーザ１パッケージ１５からレーザ光を出射させ、所定位置に配置した光検出器１３に集光させながら、２レーザ１パッケージ１５の位置決めを行う（位置決めを行う工程）。より具体的には、レーザ光の集光位置に応じて光検出器１３からの出力を、角柱２４、２４を駆動する３次元移動ステージにフィードバックして、最適な位置決めを行う。
【００４２】
ホルダ２０と共に２レーザ１パッケージ１５を所定位置に位置決めした後に、図７に示すように、各ピン２４ａを挟んで上下に且つホルダ２０とハウジング１との間に接着剤Ｂを塗布し（接着する工程）、固化した後にピン２４ａ、２４ａをＶ字状溝２０ｂ、２０ｂより退避させることで、２レーザ１パッケージ１５の位置決めが完了する（図９参照）。このとき、ホルダ２０と共に２レーザ１パッケージ１５を、フレキシブル基板２３の弾性変形力により付勢される方向（図９で左方向）に投影したときに、ホルダ２０（又は２レーザ１パッケージ１５）の少なくとも一部が突起部２１ａ、２１ａと重なり合うようになっている。尚、位置決め後には、突起部２１ａ、２１ａは不要になるので、図９に示す矢印Ｃの位置で、カバー２１から切断しても良い。かかる場合、図１１に示すように、突起部２１ａ、２１ａの根元に、切欠２１ｂ及び/又は孔２１ｃを形成しておけば、切断が容易になる。突起部２１ａ、２１ａには、フレキシブル基板２３の弱い弾性力のみが付与されるので、切欠２１ｂ及び/又は孔２１ｃを形成することで、突起部２１ａの強度が低下しても特に問題は生じない。
【００４３】
図１２は、調整治具としてのピンの関係の例を示す図である。図１２（ａ）に示すように、円筒状のピン２４ａ、２４ａを平行に配置しても良いが、図１２（ｂ）に示すように、円筒状のピン２４ａ’、２４ａ’を先端（図で下方）に向かうにつれて間隔が狭めるように角度付けして配置しても良い。かかる場合、ピン２４ａ’、２４ａ’をホルダ２０のＶ字状溝２０ｂ、２０ｂに差し込んで互いに近接させると、Ｖ字状溝２０ｂ、２０ｂから受けた力で、ホルダ２０は角柱２４，２４側（図で上方）に移動する。一点鎖線で示すように、ホルダ２０の表面を角柱２４，２４の前面２４ｂ、２４ｂに当接させることで、安定してホルダ２０の保持を行える。或いは、円筒状のピン２４ａ、２４ａの先端をテーパ状としても良く、これによりＶ字状溝２０ｂ、２０ｂに進入する際にガイドの機能を持たせることができる。
【００４４】
以上、本発明を実施の形態を参照して説明してきたが、本発明は上記実施の形態に限定して解釈されるべきではなく、適宜変更・改良が可能であることはもちろんである。例えば、位置決めすべき素子として半導体レーザの例を示したが、これに限らず光検出器やパワーモニタなどにも適用可能である。更には、係止部はカバーでなく、ハウジング本体に一体的に形成されていても良い。
【図面の簡単な説明】
【００４５】
【図１】本実施の形態にかかる光ピックアップ装置を概略的に示す断面図である。
【図２】図１の構成をII-II線を含む面で切断して矢印方向に見た断面図である。
【図３】２レーザ１パッケージ１５を取り付けたホルダ２０の斜視図である。
【図４】図４（ａ）は、ホルダ２０の一部の正面図であり、図４（ｂ）は、図４（ａ）の構成をIVB-IVB線で切断して矢印方向に見た図である。
【図５】調整時のハウジング１と２レーザ１パッケージ１５とを示す斜視図であり、組み付け中の状態を示している。
【図６】調整時のハウジング１と２レーザ１パッケージ１５とを示す斜視図であり、組み付け中の状態を示している。
【図７】調整時のハウジング１と２レーザ１パッケージ１５とを示す斜視図であり、組み付け中の状態を示している。
【図８】図５に示すハウジング１と２レーザ１パッケージ１５とを側面から見た図である。
【図９】図７に示すハウジング１と２レーザ１パッケージ１５とを側面から見た図である。
【図１０】ホルダ２０とピン２４ａ、２４ａとの関係を示す簡略化した図である。
【図１１】変形例にかかるカバー２４の一部を示す斜視図である。
【図１２】変形例にかかるピンを示す図である。
【符号の説明】
【００４６】
１ ハウジング
３ コリメートレンズ
４ 立ち上げミラー
５ 半導体レーザ
６ 青紫色用偏光ビームスプリッタ
７ パワーモニタ
９ λ／４波長板
１０ 対物光学素子
１１ 偏光ビームスプリッタ
１２ サーボレンズ
１３ 光検出器
１４ アクチュエータ
１５ ２レーザ１パッケージ
１６ ＣＤ用回折格子
２０ ホルダ
２０ａ 中央開口
２０ｂ Ｖ字状溝
２０ｃ 凹部
２１ カバー
２１ａ 突起部
２１ｂ 切欠
２１ｃ 孔
２２ 基板
２３ フレキシブル基板
２４ 角柱
２４ａ、２４ａ’、２４ａ” ピン
２４ｂ  前面
【図１】
2009151869.tif 000003
【図２】
2009151869.tif 000004
【図３】
2009151869.tif 000005
【図４】
2009151869.tif 000006
【図５】
2009151869.tif 000007
【図６】
2009151869.tif 000008
【図７】
2009151869.tif 000009
【図８】
2009151869.tif 000010
【図９】
2009151869.tif 000011
【図１０】
2009151869.tif 000012
【図１１】
2009151869.tif 000013
【図１２】
2009151869.tif 000014